(57)【要約】【課題】  リードフレームの曲がりを防止することが可能な、また、光軸ズレの発生を防止することが可能な、ＦＯＴとシールドケースとの取付補助具を提供する。【解決手段】  ＦＯＴとシールドケースとの取付補助具１４は、光コネクタを構成するＦＯＴ１２、１２の各リードフレーム１６を差し込み可能とする複数の貫通孔２７及びスリット２８を有する板状のアライメント部２１と、そのアライメント部２１に立設されＦＯＴ１２、１２を抱え込むようにしてＦＯＴ１２、１２と共にシールドケース１３、１３内に差し込まれる壁状のＦＯＴ抱え込み部２２、２３とを有する。また、リードフレーム１６に触ることなくシールドケース１３、１３の差し込みを可能とする全体形状を有する。【選択図】    図４
2005266130.tif 000002
【特許請求の範囲】
【請求項１】
光コネクタを構成するＦＯＴ（Fiber Optic Transceiver ）のリードフレームを差し込み可能とする複数の貫通孔及び／又はスリットを有する板状のアライメント部と、該アライメント部に立設され前記ＦＯＴを抱え込むようにして前記ＦＯＴと共にシールドケース内に差し込まれる壁状のＦＯＴ抱え込み部とを有し、且つ、前記リードフレームに触ることなく前記シールドケースの前記差し込みを可能とする全体形状を有する
ことを特徴とするＦＯＴとシールドケースとの取付補助具。
【請求項２】
請求項１に記載のＦＯＴとシールドケースとの取付補助具において、
前記ＦＯＴ抱え込み部の形状を前記ＦＯＴの一側面と背面とに対向する平面視Ｌ字状に形成する
ことを特徴とするＦＯＴとシールドケースとの取付補助具。
【請求項３】
請求項１又は請求項２に記載のＦＯＴとシールドケースとの取付補助具において、
前記ＦＯＴ抱え込み部との間で前記シールドケースを挟み込むことが可能な挟持壁を前記アライメント部に立設する
ことを特徴とするＦＯＴとシールドケースとの取付補助具。
【請求項４】
請求項１ないし請求項３いずれか記載のＦＯＴとシールドケースとの取付補助具において、
前記複数の貫通孔及び／又はスリットと前記ＦＯＴ抱え込み部とを対で有する
ことを特徴とするＦＯＴとシールドケースとの取付補助具。
【請求項５】
請求項１ないし請求項４いずれか記載のＦＯＴとシールドケースとの取付補助具、該ＦＯＴとシールドケースとの取付補助具に取り付けられるＦＯＴ、前記ＦＯＴとシールドケースとの取付補助具及び前記ＦＯＴに跨って取り付けられるシールドケース、これらからなる光モジュールを装着することが可能な光コネクタハウジングを備えて構成する
ことを特徴とする光コネクタ。
【請求項６】
請求項５に記載の光コネクタと、電気コネクタとを一体化してなる
ことを特徴とするハイブリッドコネクタ。
【発明の詳細な説明】
【技術分野】
【０００１】
本発明は、光コネクタを構成するＦＯＴ（Fiber Optic Transceiver ）にシールドケースを取り付ける際にその取り付けを補助する、ＦＯＴとシールドケースとの取付補助具と、その取付補助具を備えて構成される光コネクタと、光コネクタ及び電気コネクタで構成されるハイブリッドコネクタとに関する。
【背景技術】
【０００２】
従来より、光コネクタやハイブリッドコネクタには、光信号の送受信を行うためのＦＯＴが備えられている（例えば特許文献１参照）。図８において、ＦＯＴ１は、ＦＯＴ本体２と、そのＦＯＴ本体２から突出する複数のリードフレーム３とを備えて構成されている。ＦＯＴ本体２には、図示しない発光素子又は受光素子が内蔵されており、リードフレーム３の一端と電気的に接続されている。リードフレーム３の他端は、図示しない基板の回路上に設けられる孔に差し込まれる部分であって、その孔に差し込まれた後には、半田付けにより固定されるようになっている。尚、ＦＯＴ１は、電磁的なシールドを行うための金属製のシールドケース４内に差し込まれ、その上で図示しない基板に固定されるようになっている。シールドケース４には、図示しない基板に差し込まれて固定されるアース用の脚部５が設けられている。
【特許文献１】特開２００２−２３０２２号公報  （第３−５頁、第１図）
【発明の開示】
【発明が解決しようとする課題】
【０００３】
ところで、上記従来技術にあっては、リードフレーム３を持ってＦＯＴ１をシールドケース４内に差し込むような取り付けが行われている。従って、差し込みの最中にリードフレーム３が曲がってしまうような不具合があり、後の工程や品質に影響を来してしまうという問題点を有している。その他、シールドケース４内でのＦＯＴ１の位置が安定しない場合があり、光軸のズレが発生してしまうという問題点を有している。
【０００４】
本発明は、上述した事情に鑑みてなされるもので、リードフレームの曲がりを防止することが可能な、また、光軸ズレの発生を防止することが可能な、ＦＯＴとシールドケースとの取付補助具を提供することを課題とする。また、このような取付補助具を備えた光コネクタ、ハイブリッドコネクタを提供することを課題とする。
【課題を解決するための手段】
【０００５】
上記課題を解決するためなされた請求項１記載の本発明のＦＯＴとシールドケースとの取付補助具は、光コネクタを構成するＦＯＴ（Fiber Optic Transceiver ）のリードフレームを差し込み可能とする複数の貫通孔及び／又はスリットを有する板状のアライメント部と、該アライメント部に立設され前記ＦＯＴを抱え込むようにして前記ＦＯＴと共にシールドケース内に差し込まれる壁状のＦＯＴ抱え込み部とを有し、且つ、前記リードフレームに触ることなく前記シールドケースの前記差し込みを可能とする全体形状を有することを特徴としている。
【０００６】
このような特徴を有する本発明によれば、ＦＯＴのリードフレームがアライメント部により芯合わせされる。また、リードフレームがアライメント部により保持される。ＦＯＴのＦＯＴ本体は、ＦＯＴ抱え込み部により抱え込まれる。このような状態において、シールドケースが差し込まれ、ＦＯＴ本体とＦＯＴ抱え込み部とがシールドケースにより覆われる。シールドケースの差し込みの際には、リードフレームに触ることなく、例えばアライメント部を持ちながら差し込みが行われる。以上のような取り付けにより、リードフレームの曲がりが防止される。シールドケース内でのＦＯＴの位置は、ＦＯＴ抱え込み部により安定する。
【０００７】
請求項２記載の本発明のＦＯＴとシールドケースとの取付補助具は、請求項１に記載のＦＯＴとシールドケースとの取付補助具において、前記ＦＯＴ抱え込み部の形状を前記ＦＯＴの一側面と背面とに対向する平面視Ｌ字状に形成することを特徴としている。
【０００８】
このような特徴を有する本発明によれば、ＦＯＴの一側面と背面とがＦＯＴ抱え込み部により抱え込まれる。平面視Ｌ字状のＦＯＴ抱え込み部により、シールドケース内でのＦＯＴの位置がより一層安定する。
【０００９】
請求項３記載の本発明のＦＯＴとシールドケースとの取付補助具は、請求項１又は請求項２に記載のＦＯＴとシールドケースとの取付補助具において、前記ＦＯＴ抱え込み部との間で前記シールドケースを挟み込むことが可能な挟持壁を前記アライメント部に立設することを特徴としている。
【００１０】
このような特徴を有する本発明によれば、シールドケースがＦＯＴ抱え込み部と挟持壁との間で挟み込まれる。シールドケースの位置が安定し、光軸ズレの防止に寄与する。挟持壁は、シールドケースの上記差し込みが行われる際に手で持つ部分としても用いることが可能になる。また、挟持壁は、ＦＯＴが差し込まれた状態のシールドケースを保護する壁としても機能する。
【００１１】
請求項４記載の本発明のＦＯＴとシールドケースとの取付補助具は、請求項１ないし請求項３いずれか記載のＦＯＴとシールドケースとの取付補助具において、前記複数の貫通孔及び／又はスリットと前記ＦＯＴ抱え込み部とを対で有することを特徴としている。
【００１２】
このような特徴を有する本発明によれば、送信用のＦＯＴと受信用のＦＯＴとに分けることなく一緒に取り付けることが可能になる。アライメント部に送信用のＦＯＴと受信用のＦＯＴとが並んだ状態でシールドケースの取り付けが行えるようになる。
【００１３】
上記課題を解決するためなされた請求項５記載の本発明の光コネクタは、請求項１ないし請求項４いずれか記載のＦＯＴとシールドケースとの取付補助具、該ＦＯＴとシールドケースとの取付補助具に取り付けられるＦＯＴ、前記ＦＯＴとシールドケースとの取付補助具及び前記ＦＯＴに跨って取り付けられるシールドケース、これらからなる光モジュールを装着することが可能な光コネクタハウジングを備えて構成することを特徴としている。このような特徴を有する本発明によれば、リードフレームの曲がりがなく、光軸ズレもない光コネクタが提供される。
【００１４】
上記課題を解決するためなされた請求項６記載の本発明のハイブリッドコネクタは、請求項５に記載の光コネクタと、電気コネクタとを一体化してなることを特徴としている。このような特徴を有する本発明によれば、リードフレームの曲がりがなく、光軸ズレもないハイブリッドコネクタが提供される。
【発明の効果】
【００１５】
請求項１に記載された本発明によれば、リードフレームの曲がりを防止することができるという効果を奏する。また、光軸ズレの発生を防止することができるという効果を奏する。
【００１６】
請求項２に記載された本発明によれば、光軸ズレの防止に寄与することができるという効果を奏する。
【００１７】
請求項３に記載された本発明によれば、リードフレームの曲がり防止に寄与することができるという効果を奏する。また、光軸ズレの防止に寄与することができるという効果を奏する。
【００１８】
請求項４に記載された本発明によれば、送信用のＦＯＴと受信用のＦＯＴとを一緒に取り付けることができるという効果を奏する。
【００１９】
請求項５に記載された本発明によれば、従来よりもよりよい光コネクタを提供することができるという効果を奏する。
【００２０】
請求項６に記載された本発明によれば、従来よりもよりよいハイブリッドコネクタを提供することができるという効果を奏する。
【発明を実施するための最良の形態】
【００２１】
以下、図面を参照しながら説明する。
図１は本発明のＦＯＴとシールドケースとの取付補助具を用いてなる光モジュールの一実施の形態を示す斜視図である。また、図２は図１の光モジュールをＦＯＴのリードフレーム側から見た斜視図、図３は取付補助具の斜視図、図４は光モジュールの分解斜視図、図５はＦＯＴを取付補助具に取り付けた状態を示す斜視図、図６はＦＯＴを取付補助具に取り付けてＦＯＴの上方側から見た状態を示す斜視図、図７は光モジュールを光コネクタハウジングに取り付けた状態を示す断面図である。
【００２２】
図１及び図２において、引用符号１１は光信号の送受信を行うことが可能な光コネクタやハイブリッドコネクタの一構成部材である光モジュールを示している。その光モジュール１１は、送信用及び受信用のＦＯＴ（Fiber Optic Transceiver ）１２、１２と、シールドケース１３、１３と、これらの取り付けに用いられる本発明の取付補助具１４（ＦＯＴとシールドケースとの取付補助具）とを備えて構成されている。以下、各構成について説明する。
【００２３】
図４において、上記ＦＯＴ１２は、ＦＯＴ本体１５と、そのＦＯＴ本体１５から突出する複数のリードフレーム１６とを備えて構成されている。ＦＯＴ本体１５には、図示しない発光素子や受光素子が内蔵されており、リードフレーム１６の一端と電気的に接続されている。図示しない発光素子や受光素子、及びリードフレーム１６の一端は、光透過性を有する合成樹脂材料によりモールドされている。ＦＯＴ本体１５の正面であって上記モールドの部分における引用符号１７で示される窓は、図示しない発光素子や受光素子の位置に合わせて長円形状に形成されている。
【００２４】
リードフレーム１６は、その中間から他端にかけて真っ直ぐにのびるように形成されている。リードフレーム１６の他端は、図示しない基板の回路上に設けられる孔に差し込まれる部分であって、その孔に差し込まれた後には、半田付けにより固定されるようになっている。
【００２５】
上記シールドケース１３は、電磁的なシールドを行うための部材であって、導電性を有する金属薄板をプレス加工することにより形成されている。シールドケース１３は、その底面が開口する箱形形状に形成されている。底面の開口は、後述するＦＯＴ抱え込み部２２又は２３により抱え込まれるＦＯＴ本体１５の差し込みを可能とする大きさに形成されている。シールドケース１３は、ＦＯＴ本体１５と後述するＦＯＴ抱え込み部２２又は２３とを収容することができる大きさに形成されている。
【００２６】
シールドケース１３の正面には、上記図示しない発光素子や受光素子の位置に合わせた窓１８が形成されている。また、シールドケース１３の背面には、バネ性を有する押圧片１９（図７参照）が形成されている。シールドケース１３の上記開口には、真っ直ぐにのびるアース兼固定用の脚部２０が複数形成されている。脚部２０は、上記図示しない基板に設けられる孔に差し込まれて固定されるようになっている。
【００２７】
図１ないし図６において、上記取付補助具１４は、上記の如く、ＦＯＴ１２、１２とシールドケース１３、１３との取り付けに用いられる部材であって、絶縁性を有する合成樹脂材料により成形されている。取付補助具１４は、板状のアライメント部２１と、アライメント部２１の中間に立設する壁状のＦＯＴ抱え込み部２２、２３と、アライメント部２１の後端に立設する壁状の挟持壁２４とを有している。このような構成の取付補助具１４は、ＦＯＴ１２、１２の各リードフレーム１６に触ることなくシールドケース１３、１３の取り付けを可能とする形状にその全体が形成されている。
【００２８】
アライメント部２１には、送信用及び受信用のＦＯＴ１２、１２に対する取付部２５、２５が形成されている。また、アライメント部２１には、シールドケース１３、１３に対する取付部２６、２６も形成されている。取付部２５には、リードフレーム１６を差し込んで芯合わせするとともに曲がり難くするための複数の貫通孔２７及びスリット２８が形成されている。取付部２６には、脚部２０を差し込んで芯合わせするための貫通孔２９及びスリット３０が形成されている。尚、アライメント部２１は、シールドケース１３、１３の取り付けの際に手で持つことができる部分として設定されている。
【００２９】
ＦＯＴ抱え込み部２２、２３は、ＦＯＴ本体１５の一側面と背面とに対向する平面視Ｌ字状の形状に形成されている（この形状に限定されないものとする。少なくともＦＯＴ本体１５の背面側に壁が存在し、ＦＯＴ本体１５が後退しないようにすることができればよいものとする。尚、Ｌ字形状は、上記背面側の壁のみの場合よりもＦＯＴ本体１５の位置を安定させる効果がある）。また、ＦＯＴ抱え込み部２２、２３は、ＦＯＴ本体１５の一側面に対向する壁同士が所定の間隔を有して対面するように配置形成されている。
【００３０】
ＦＯＴ抱え込み部２２、２３の配置に関してもう少し詳しく説明すると、ＦＯＴ抱え込み部２２、２３は、各取付部２５、２６の間を縫うように配置形成されている。すなわち、ＦＯＴ抱え込み部２２、２３は、ＦＯＴ本体１５を抱え込むような状態でＦＯＴ本体１５と共にシールドケース１３内に収容されるように配置形成されている。
【００３１】
挟持壁２４は、ＦＯＴ抱え込み部２２、２３との間でシールドケース１３、１３の背面側を挟み込むことができるような形状に形成されている。すなわち、挟持壁２４には、押圧用の突起３１、３１が形成されている（シールドケース１３、１３の位置を安定させる効果がある）。挟持壁２４は、シールドケース１３、１３の取り付けの際にアライメント部２１と同様、手で持つことができるようにその形状が形成されている。また、挟持壁２４は、保護壁として機能するようにその形状が形成されている。
【００３２】
尚、取付補助具１４は、送信用のＦＯＴ１２と受信用のＦＯＴ１２とを一緒に取り付けることができるように構成されているが、この限りでないものとする。すなわち、送信用のＦＯＴ１２、受信用のＦＯＴ１２の個々に対応することができるように構成してもよいものとする。
【００３３】
次に、上記構成に基づいて光モジュール１１の組み付けを説明する。第一工程は、図４に示されるように、ＦＯＴ１２、１２、シールドケース１３、１３、及び取付補助具１４を準備する作業を行う。第二工程は、図５及び図６に示されるように、ＦＯＴ１２、１２を取付補助具１４に取り付ける作業を行う。この時、ＦＯＴ１２、１２の各リードフレーム１６は、取付部２５、２５に差し込まれて芯合わせされる。また、ＦＯＴ１２、１２の各ＦＯＴ本体１５は、ＦＯＴ抱え込み部２２、２３により抱え込まれて保持される。第三工程は、ＦＯＴ本体１５とＦＯＴ抱え込み部２２、ＦＯＴ本体１５とＦＯＴ抱え込み部２３にそれぞれシールドケース１３、１３を被せるような状態でその取り付けを行う。この時、リードフレーム１６に触ることなく、例えばアライメント部２１を手で持ちながらシールドケース１３、１３の取り付けが行われる。シールドケース１３、１３内にＦＯＴ本体１５とＦＯＴ抱え込み部２２、ＦＯＴ本体１５とＦＯＴ抱え込み部２３がそれぞれ差し込まれて収容されると、図１に示されるような状態になり、光モジュール１１の一連の組み付けが完了する。
【００３４】
光モジュール１１の組み付けにおいて、本発明の取付補助具１４によりリードフレーム１６の曲がりが防止される。また、シールドケース１３、１３内での各ＦＯＴ本体１５の位置がＦＯＴ抱え込み部２２、２３により安定し、その結果、光軸ズレの発生が防止される。
【００３５】
図７において、上記光モジュール１１は、光コネクタハウジング３２に例えば嵌め込まれるような状態で装着される。これにより、光コネクタ又はハイブリッドコネクタ（光コネクタと電気コネクタとを一体化したもの）が構成される。
【００３６】
ＦＯＴ１２、１２の各リードフレーム１６は、本発明の取付補助具１４により芯合わせされていることから、光コネクタ又はハイブリッドコネクタと上記図示しない基板との取り付けが容易に行われる。また、本発明の取付補助具１４によりＦＯＴ本体１５、１５の位置に信頼性があることから、光コネクタハウジング３２に差し込まれる図示しないフェルールを介しての光ファイバとの光学的な結合も光軸ズレ無く行われる。
【００３７】
その他、本発明は本発明の主旨を変えない範囲で種々変更実施可能なことは勿論である。
【図面の簡単な説明】
【００３８】
【図１】本発明によるＦＯＴとシールドケースとの取付補助具を用いてなる光モジュールの一実施の形態を示す斜視図である。
【図２】図１の光モジュールをＦＯＴのリードフレーム側から見た斜視図である。
【図３】取付補助具の斜視図である。
【図４】光モジュールの分解斜視図である。
【図５】ＦＯＴを取付補助具に取り付けた状態を示す斜視図である。
【図６】ＦＯＴを取付補助具に取り付けてＦＯＴの上方側から見た状態を示す斜視図である。
【図７】光モジュールを光コネクタハウジングに取り付けた状態を示す断面図である。
【図８】従来例のＦＯＴとシールドケースを示す斜視図である。
【符号の説明】
【００３９】
１１  光モジュール
１２  ＦＯＴ
１３  シールドケース
１４  取付補助具（ＦＯＴとシールドケースとの取付補助具）
１５  ＦＯＴ本体
１６  リードフレーム
１７、１８  窓
１９  押圧片
２０  脚部
２１  アライメント部
２２、２３  ＦＯＴ抱え込み部
２４  挟持壁
２５、２６  取付部
２７、２９  貫通孔
２８、３０  スリット
３１  押圧用の突起
３２  光コネクタハウジング
【図１】
2005266130.tif 000003
【図２】
2005266130.tif 000004
【図３】
2005266130.tif 000005
【図４】
2005266130.tif 000006
【図５】
2005266130.tif 000007
【図６】
2005266130.tif 000008
【図７】
2005266130.tif 000009
【図８】
2005266130.tif 000010